(57)【要約】  海洋構造物（１０２）から懸垂させることができる取水アセンブリ（１０５）を提案する。これは、概して長さ方向に沿って並行して伸長している少なくとも第１の管状導管（１０６Ａ）及び第２の管状導管（１０６Ｂ）の束（１０６）を有する。第１の管状導管の遠位部（１０９）の少なくとも一部は、完全に懸垂した状態にある際に第２の管状導管よりも更に長さ方向において伸長している。かかる取水上昇管アセンブリの記載されている用途は、液化炭化水素流の製造方法、及び蒸気状炭化水素流の製造方法を含む。【選択図】  図１
2014503402.tif 000002
【特許請求の範囲】
【請求項１】
長さ方向において見て懸垂手段を含む近位部、続いて接続部、続いて取水部分を含む遠位部を含む概して長さ方向に沿って各々並行して伸長している少なくとも第１の管状導管及び第２の管状導管の束を含み、遠位部はそれぞれの管状導管の第１の遠位端と接続部との間に伸長しており、接続部は近位部と遠位部を流体接続しており、第１及び第２の管状導管はそれぞれの接続部と協働している少なくとも１つのスペーサーによって互いと横方向に接続されており、第１の管状導管の遠位部の少なくとも一部は、完全に懸垂した状態にある際に第２の管状導管よりも長さ方向において更に伸長している、海洋構造物から懸垂させることができる取水上昇管アセンブリ。
【請求項２】
第１の管状導管における遠位部が、長さＬ１にわたって第１の管状導管の第１の遠位端と接続部との間に伸長しており、第２の管状導管における遠位部が、長さＬ２にわたって第２の管状導管の第２の遠位端と接続部との間に伸長しており、第１の遠位端が第２の遠位端よりも長さ方向において更に少なくともＬ１の量だけ伸長している、請求項１に記載の取水上昇管アセンブリ。
【請求項３】
取水部分に、取水部分に沿って分配されている取水開口が設けられており、接続部が取水開口を有しない、請求項１又は２に記載の取水上昇管アセンブリ。
【請求項４】
取水開口が、取水部分の長さ及び外周に沿って分配されている、請求項３に記載の取水上昇管アセンブリ。
【請求項５】
少なくとも１つのスペーサーを長さ方向に沿って第１及び第２の管状導管に対して滑動して平行移動させることができ、それによって第１及び第２の管状導管を少なくとも１つのスペーサーから収納することができる、請求項１〜４のいずれか１項に記載の取水上昇管アセンブリ。
【請求項６】
スペーサーが第１の管状導管と滑動状態で嵌合しているガイドスリーブを含み、ガイドスリーブが、第１及び第２の管状導管の近位部に面している上部部分、並びに第１及び第２の管状導管の遠位部に面している下部部分を含み、下部部分が第１の管状部材を取り囲む円筒形状であり、上部部分が円筒形状の下部部分よりも広い開口を有する漏斗形状である、請求項５に記載の取水上昇管アセンブリ。
【請求項７】
取水部分が、長軸の周りを取り巻いていて、第１の横断面積を有する間隙を有する長さ方向における流路を画定している側壁を有しており、側壁には、それぞれが流路中への横方向の導入路を画定して水を流路中に横方向に流入させることを可能にする複数の貫通孔の形態の取水開口が備えられている、請求項１〜６のいずれか１項に記載の取水上昇管アセンブリ。
【請求項８】
複数の貫通孔によって画定されている総計面積が第１の横断面積よりも大きい、請求項７に記載の取水上昇管アセンブリ。
【請求項９】
遠位部が、丸い先端を与える遠位端における先端片を含む、請求項１〜８のいずれか１項に記載の取水上昇管アセンブリ。
【請求項１０】
請求項１〜９のいずれか１項に記載の水上昇管アセンブリがそれから懸垂している海洋構造物。
【請求項１１】
・蒸気状炭化水素含有供給流を海洋構造物に供給し；
・少なくとも蒸気状炭化水素含有供給流の少なくとも一部から熱を引き抜くことを含む方法によって、蒸気状炭化水素含有供給流の少なくとも一部から液化炭化水素流を形成し；
・請求項１〜８のいずれかに記載の取水上昇管アセンブリを通して海洋構造物に水を供給し；
・炭化水素含有供給流の少なくとも一部から取り出された熱の少なくとも一部を、取水上昇管アセンブリを通して供給される水の少なくとも一部に加え；
・その後に水の少なくとも一部を廃棄する；
ことを含む液化炭化水素流の製造方法。
【請求項１２】
・海洋構造物上において液化炭化水素流を与え；
・液化炭化水素流の一部に熱を加えることを含む方法によって、液化炭化水素流の少なくとも一部から蒸気状炭化水素流を形成し；
・請求項１〜８のいずれかに記載の取水上昇管アセンブリを通して海洋構造物に水を供給し；
・取水上昇管アセンブリを通して供給される水の少なくとも一部から、液化炭化水素流の一部に加えるための熱の少なくとも一部を引き抜き；
・その後に水の少なくとも一部を廃棄する；
ことを含む蒸気状炭化水素流の製造方法。
【発明の詳細な説明】
【技術分野】
【０００１】
本発明は、海洋構造物から懸垂させることができる取水上昇管アセンブリ、及び／又は
先行するクレームのいずれかによる水上昇管アセンブリがそれから懸垂している海洋構造物に関する。他の形態においては、本発明は、かかる取水上昇管アセンブリを用いて液化炭化水素流を製造する方法、及び／又はかかる取水上昇管アセンブリを用いて蒸気状炭化水素流を製造する方法に関する。
【背景技術】
【０００２】
ＷＯ２０１０／０８５３０２においては、海洋の表面の上／中の浮体式液化天然ガス（ＦＬＮＧ）プラントなどの海洋システムが開示されている。ＦＬＮＧプラントにおいては、天然ガスを冷却及び液化してＬＮＧを形成するか、或いはＬＮＧを加熱及び気化する可能性がある。深部の低温水を採取して低温水をＦＬＮＧプラントに上向きに運ぶための水上昇管アセンブリが、ＦＬＮＧプラントから懸垂している。水上昇管アセンブリは、海洋中に下向きに突き出していて、複数のスペーサーによって一緒に接続されている管状構造物を含む。スペーサーは、それを通して管状構造物のそれぞれが配置されている開口を有する。ＦＬＮＧプラントと接続している列又は群の１以上の管状構造物を用いて、水を海洋からプラントに運ぶことができる。一例においては、９個の管状構造物が３×３の長方形の配列で配置されていて、管状構造物のそれぞれの底部の上にフィルターが備えられている。フィルターの１つが時間と共に閉塞する場合には、残りの管状構造物によってその後もなお十分な水をＦＬＮＧプラントに運ぶことができる。
【先行技術文献】
【特許文献】
【０００３】
【特許文献１】国際公開第２０１０／０８５３０２号
【発明の概要】
【発明が解決しようとする課題】
【０００４】
しかしながら好ましくは、全ての管が同時に閉塞することは回避しなければならない。更に、管状構造物の公知の配列は、水を海洋から採取する際に水の流動場に対して望ましくない複合効果を引き起こす可能性がある。
【課題を解決するための手段】
【０００５】
第１の形態においては、本発明は、それぞれは長さ方向において見て懸垂手段を含む近位部、続いて接続部、続いて取水部分を含む遠位部を含む概して長さ方向に沿って並行して伸長している少なくとも第１の管状導管及び第２の管状導管の束を含み、遠位部はそれぞれの管状導管の第１の遠位端と接続部との間に伸長しており、接続部は近位部と遠位部を流体接続しており、第１及び第２の管状導管はそれぞれの接続部と協働している少なくとも１つのスペーサーによって互いと横方向に接続されており、第１の管状導管の遠位部の少なくとも一部は、完全に懸垂した状態にある際に第２の管状導管よりも長さ方向に更に伸長している、海洋構造物から懸垂させることができる取水上昇管アセンブリを提供する。
【０００６】
かかる水上昇管アセンブリは、海洋構造物から懸垂させて、かかる水上昇管アセンブリがそれから懸垂している海洋構造物を形成することができる。
他の形態においては、本発明は、かかる取水上昇管アセンブリを用いて液化炭化水素流を製造する方法、及びかかる取水上昇管アセンブリを用いて蒸気状炭化水素流を製造する方法を提供する。
【０００７】
液化炭化水素流を製造する方法は、
・蒸気状炭化水素含有供給流を海洋構造物に供給し；
・少なくとも蒸気状炭化水素含有供給流の少なくとも一部から熱を引き抜くことを含む方法によって、蒸気状炭化水素含有供給流の少なくとも一部から液化炭化水素流を形成し；
・取水上昇管を通して海洋構造物に水を供給し；
・炭化水素含有供給流の少なくとも一部から取り出された熱の少なくとも一部を、取水上昇管アセンブリを通して供給される水の少なくとも一部に加え；
・その後に水の少なくとも一部を廃棄する；
ことを含む。
【０００８】
蒸気状炭化水素流を製造する方法は、
・海洋構造物上において液化炭化水素流を与え；
・液化炭化水素流の一部に熱を加えることを含む方法によって、液化炭化水素流の少なくとも一部から蒸気状炭化水素流を形成し；
・取水上昇管アセンブリを通して海洋構造物に水を供給し；
・取水上昇管アセンブリを通して供給される水の少なくとも一部から、液化炭化水素流の一部に加えるための熱の少なくとも一部を引き抜き；
・その後に水の少なくとも一部を廃棄する；
ことを含む。
【０００９】
ここで、一例として、添付の非限定的な図面を参照して本発明を更に説明する。
【図面の簡単な説明】
【００１０】
【図１】図１は、複数の管状導管を含む取水上昇管アセンブリを備える浮体型液化天然ガスプラントを図示する。
【図２】図２は、上昇管アセンブリの図１に示す切断面２における断面図を図示する。
【図３】図３は、上昇管アセンブリの図１に示す切断面３における断面図を図示する。
【図３Ａ】図３Ａは、本発明の他の態様による上昇管アセンブリの図１に示す切断面３における断面図を図示する。
【図４】図４は、管状導管の１つの遠位部及び接続部の一部の例を図示する。
【図５】図５は、図４に示す遠位部の底面図を図示する。
【図６】図６は、完全に懸垂されている際の複数の管状導管の複数の部分を示す取水上昇管アセンブリの遠位部の斜視図を図示する。
【発明を実施するための形態】
【００１１】
本記載の目的のために、ライン及びそのライン内で運ばれる流れに対して単一の参照番号を付与する。同じ参照番号は同様の部品、流れ、又はラインを指す。
本明細書は、概して長さ方向に沿って並行して伸長している少なくとも第１の管状導管及び第２の管状導管の束を含み、その第１の管状導管の遠位部の少なくとも一部は、完全に懸垂した状態にある際に第２の管状導管よりも長さ方向において更に伸長している、海洋構造物から懸垂させることができる取水上昇管アセンブリを記載する。
【００１２】
取水上昇管アセンブリにおける管状導管は、遠位部において採取した水を近位部に送るように働かせることができる。その第１の管状導管の遠位部の少なくとも一部が、完全に懸垂した状態にある際に第２の管状導管よりも長さ方向において更に伸長している第１の管状導管及び第２の管状導管の束を与えることによって、取水上昇管アセンブリの遠位部における閉塞によって近位部に運ばれる水が完全に遮断される危険性が減少する。
【００１３】
第１に、少なくとも２つの管状導管を与えることによって、取水上昇管アセンブリの遠位部から取水上昇管アセンブリの近位部への水の供給が、２つの管状導管の１つがその遠位部において水を採取することを妨げられる場合になお可能であるということが達成される。
【００１４】
第２に、第１の管状導管の遠位部を第２の管状導管よりも長さ方向において更に伸長させて取水上昇管アセンブリを運転することによって、２つの管状導管の両方が（例えば単一の原因によって）同時に閉塞する危険性が減少する。
【００１５】
更に、記載されているようにして複数の管状導管の遠位部を互い違いに配することによって、（同じ水深における）隣接する上昇管の流入口が更に離隔されるので、それぞれの管状導管のそれぞれの取水部内の流入は非常により独立して挙動する。これにより、管状導管あたりの「流入場」が束中の他の１つ又は複数の管状導管の「流入場」によって殆ど影響を受けないということが達成される。
【００１６】
第２の管状導管に対して第１の管状導管の遠位部をこのように配置することによって、遠位部の洗浄及び／又は検査も容易になる。
明らかに、取水上昇管アセンブリは、２つより多い管状導管、例えば少なくとも４つの角部のそれぞれにおいて１つの管状導管及び２つの角部の組の間において１つの管状導管を有する長方形の断面パターンで配列されている８つ又は９つの管状導管の束に基づいて構成することができる。或いは、管状導管は、同心及び／又は環状パターンで配列することができる。管状導管の数を増加させることによって、閉塞の運転リスクを更に減少させることができる。
【００１７】
図１は、本発明の幾つかの態様を実施することができる海洋システム１００の例を示す。この例における海洋システム１００は、ここでは浮体式構造物の形態で示す、海洋１０４の表面の上／中の海洋構造物１０２を含む。海洋構造物１０２には、一例として浮体型液化天然ガス（ＦＬＮＧ）プラントを含ませることができる。ＦＬＮＧプラントにおいては、天然ガスを冷却及び液化するか、或いはＬＮＧを加熱及び気化する可能性がある。
【００１８】
取水上昇管アセンブリ１０５は、完全に懸垂された状態で海洋構造物１０２から懸垂されている。取水上昇管アセンブリ１０５は、水を海洋からプラントに運ぶために用いることができる。取水上昇管アセンブリ１０５は、少なくとも第１の管状導管１０６Ａ及び第２の管状導管１０６Ｂの束１０６を含む。これらの管状導管は、深部の低温水１４０を採取して、低温水を海洋構造物１０２に上向きに運ぶことができる。低温水は熱交換器に投入して、海洋構造物１０２上で行われているプロセスに熱を加えるか／これから熱を取り出すことができる。熱交換器の出口からの加熱又は冷却された海洋水は、海面において海洋中に放出して戻すか、或いは放出システムを用いて深部に運んで戻すことができる。
【００１９】
第１及び第２の管状導管１０６Ａ、１０６Ｂは、概して長さ方向に沿って並行して伸長している。長さ方向において見ると、管状導管のそれぞれは、近位部１０７、続いて接続部１０８、続いて遠位部１０９を有する。管状導管の遠位部は、完全に懸垂されている際には、一緒になって取水上昇管アセンブリの遠位部を形成する。好ましくは、取水上昇管アセンブリの遠位部は、海底１０３から離して懸垂する。一例として、取水上昇管アセンブリの遠位部は、海洋１０４の表面から約１３０〜１７０ｍの深さＤに懸下するが、取水上昇管アセンブリは同様に他の深度において用いることができる。
【００２０】
近位部１０７は、それによって管状導管を海洋構造物１０２から懸垂させる懸垂手段を含む。海流によって、管状導管１０６は垂直からおよそ４０°程度まで偏位する可能性がある（図示せず）。かかる偏位を調整するために、管状導管１０６は、スイベル継手、ボール継手、上昇管吊具、或いは他のピボット取付又はヒンジ取付可能な継手によって海洋構造物から懸垂させることができる。特に、米国特許７，３１８，３８７（柔軟な荷重伝達部材、及び水を運ぶためのホースを含む特に好適な上昇管吊具構造が記載されている）を参照されたい。
【００２１】
取水部分を含む遠位部１０９の例を、図４及び５を参照して以下に説明する。遠位部１０９は、第１の遠位端と接続部１０８との間に伸長している。接続部は、近位部１０７と遠位部１０９を流体接続している。図１から、第１の管状導管１０６Ａの遠位部１０９の少なくとも一部は、第２の管状導管１０６Ｂよりも長さ方向において更に伸長していることが分かる。
【００２２】
ここまででは２つの管状導管１０６Ａ及び１０６Ｂしか記載していないが、束１０６にはより大きな数を含ませることができる。図２は、１つの特定の態様にしたがって、３×３の長方形の配列で配列した９つの管状導管（１０６Ａ〜１０６Ｉ）の一例のアプローチ又は構成を示す。この図は、図１の切断面２に沿って複数の管状導管を貫通して取った断面図である。この配列は、周縁に沿った８つの管状構造物、及び中心における１つを有する。中心部における管状導管１０６Ｅは、スペーサーのための構造支持構造部材として働かせることができる。中心部における管状導管１０６Ｅは、水を海面に運んでも運ばなくてもよい（即ち、取水上昇管として機能させてもさせなくてもよい）。
【００２３】
１つの特定の態様においては、周縁に沿った８つの管状導管はｄの大きさの外径を有していてよい。構造管状導管、一例においては中心の管状導管１０６Ｅは、ｄより小さい外径を有していてよい。周縁に沿った８つの管状構造物は、外径ｄの約１倍の距離だけ均等に離隔させることができる。而して、この例においては、管状導管（１０６Ａ〜１０６Ｉ）は、約２ｄのグリッド間隔を有する正方形のグリッドパターン上に配置されている。
【００２４】
再び図１を参照すると、束１０６を形成するために、管状導管のそれぞれの接続部１０８と協働している少なくとも１つのスペーサー（１１０Ａ、１１０Ｂ、１１０Ｃ）によって、第１及び第２の管状導管１０６Ａ、１０６Ｂを互いに対して横方向に接続している。かかるスペーサーによって、管状導管は物理的に一緒に結合又は接続されている。一態様においては、管状構造物が互いに衝突するのを回避するのに十分なスペーサーを与えることができる。
【００２５】
図３は、１つの特定の態様による、３×３の長方形の配列で配列された９つの管状導管（１０６Ａ〜１０６Ｉ）のための一例のスペーサー１１０Ａを示す。この図は、図１の切断面３に沿って、スペーサー１１０Ａ及び複数の管状導管を貫通して取った断面図である。スペーサーにはそれぞれ、それを通して管状導管１０６Ａ〜１０６Ｄ及び１０６Ｆ〜１０６Ｉのそれぞれが配されている、相互に接続されている１以上の複数のガイドスリーブ３０６Ａ〜３０６Ｄ及び３０６Ｆ〜３０６Ｉを含ませることができる。棒状部材３０７は相互接続を形成する。棒状部材３０７の少なくとも１つは、中心の管状導管１０６Ｅに固定して接続されている。別の態様においては、中心の管状導管１０６Ｅはまたガイドスリーブを貫通していて、この場合にはスペーサー１１０Ａは、海洋構造物１０２に接続されているロッド、ワイヤ、鎖のような別の手段によって支持しなければならない。
【００２６】
ガイドスリーブは、その中に配置されている管状導管と滑動状態で嵌合している。それぞれのガイドスリーブ３０６は間隙３０１を画定して、これによって細長い管状導管の１つがそれを自由に通り抜けることを可能にし、及び好ましくは細長い管状導管の水平軸の周りの限定された回転を可能にすることができる。水平軸とは、間隙３０１を通る通路の長さ方向に対して垂直のスペーサー１１０Ａの対称面にある軸である。
【００２７】
スペーサー１１０Ａは、長さ方向に沿って第１及び第２の管状導管１０６Ａ、１０６Ｂに対して滑動して平行移動させることができる。このように、第１及び第２の管状導管は、例えば１つを交換する必要がある場合に、１つのスペーサー１１０Ａから収納することができる。
【００２８】
図３Ａは、一態様にしたがって９つの管状構造物が同心配列に配列されている別の態様を示す。この場合においては、同心配列は円形である。或いは、この配列は、楕円形、長円形、星型、三角形等であってよい。更に、図３において示すスペーサーのガイドスリーブ３０６を相互接続している棒状部材３０７は、ガイドスリーブ３０６に相当するか又はガイドスリーブを保持することができる孔が与えられているフレーム又は中実体によって置き換えられている。これは、長方形の配列又は他の束パターンにも適用することができる。
【００２９】
図４は、その遠位部１０９及び接続部１０８の一部を含む管状導管１０６Ａの１つの下端の例の詳細図を示す。ガイドシリンダー４０８を接続部１０８の部分の周りに取り付けて、スペーサー１１０の１つと係合させることができる。かかるガイドシリンダー４０８は、接続部１０８と異なる材料で構成することができる。好ましくは、これは、接続部１０８及び／又はガイドスリーブよりも速く摩耗することを確保するように、接続部１０８の材料及び／又はガイドスリーブの内部の材料よりも硬度の低い材料である。接続部には、コネクター４０９によって一連に接続されている複数のパイプを含ませることができる。ガイドシリンダーの内径は、好適には管状の接続部の外径にぴったりと適合するものである。ガイドシリンダーの壁厚は、好適には外径に応じて１．５〜３インチの間である（より大きい直径は通常はより大きい壁厚に対応する）。
【００３０】
遠位部１０９における取水部分４０３には、取水部分４０３に沿って分配されている取水開口４０５が設けられている。幾つかの態様においては、接続部１０８は取水開口を有しない。好ましくは、取水部分４０３は、長さ軸Ｌの周りを取り囲む側壁４０４を有する管状部分を含む。このようにして、長さ方向Ｌにおいて、第１の横断面積Ａ１を有する空隙４０２によって流路が画定される。本態様においては、取水開口４０５は、側壁４０４を通る複数の貫通孔として与えられている。それぞれの貫通孔は流路中への横方向の流入口を画定し、運転中は低温水１４０が海洋から流路中に横方向に直接流れるのを可能にする。
【００３１】
好適には、複数の貫通孔４０５を通る流れの面積によって規定される総計入口面積は、第１の横断面積Ａ１よりも大きい。このように、取水部分４０３の直ぐ外側の海洋からの低温水１４０の取込速度を最大許容速度より低く維持することができ（一例においては、最大許容取込速度は０．５ｍ／秒である）、一方で管状導管内部の水流の速度を最大許容取込速度よりも大きくすることができる。好ましい態様においては、総計入口面積は５×Ａ１よりも大きい。好適には、総計入口面積は、５０×Ａ１よりも小さく、好ましくは１０×Ａ１よりも小さい。
【００３２】
貫通孔４０５を側壁４０４に沿って比較的大きな長さにわたって分配することによって、遠位部における直径を比較的小さく維持することができる。このようにして、それらをそれらの長さ方向に沿って滑動させることによる管状導管の収納のそれぞれが容易になる。
【００３３】
好ましくは、貫通孔４０５は側壁４０４の周りの周縁の大部分にわたって分配されている。このように、放射方向の範囲内で貫通孔４０５に導入することができるので、束内の複数の取水部分によって引き起こされる流動場における協調効果が更に減少する。その結果、最も高い速度で流れる低温水の体積は、長さ方向に沿った方向の水中で取られるものと比較して比較的低い。
【００３４】
更に、取水開口４０５を取水部分４０３の長さに沿ってだけでなく周囲にわたっても分配すると、貫通孔の閉塞によって近位部１０７へ送られる水が完全に遮断される危険性が更に減少する。
【００３５】
１つの特定の例においては、取水部分４０３の管状部分は、Ｘ７０又はそれと同等の鋼グレードを有する炭素鋼で構成する。これは、約４２インチの外径及び約１．５インチの壁厚を有していてよい。貫通孔４０５は側壁４０４に穿孔することができる。好ましくは、それぞれの貫通孔４０５は、大きな海洋生物が侵入するのを阻止するために直径が１０ｃｍより小さい。好ましくは、それぞれの貫通孔４０５は、比較的小さい粒状物の蓄積によって閉塞することを回避するため、並びに大きい水圧差を回避するために直径が１ｃｍより大きい。一例においては、貫通孔４０５の直径は約５ｃｍに選択した。
【００３６】
更に、遠位部１０９には、丸い先端を与えるために遠位端４０１において先端片４１０を含ませることができる。幾つかの態様においては、先端片４１０は、遠位部１０９の側壁４０４に適合させることができる。これには、取水部分からその面内の長さ方向で下向きに突き出ている平面状の片４１１を含ませることができる。先端片４１０には更に、取水部分４０３の下側の管状部の端における取水を回避するために、長さ方向Ｌに対して垂直に伸長する邪魔板４１２を含ませることができる。所望の場合には、流路４０２への限定された水の流入を容易にするために、邪魔板４１２に１以上のより小さい貫通孔１１５を備えることができる。これらの貫通孔１１５は、側壁４０４内の貫通孔４０５と同じか又は同様の寸法のものであってよい。平面状の片４１１は、下向きに突き出ている半円形又は半楕円形の外面形状を有していてよい。
【００３７】
図５（遠位端４０１の長さ方向に対する上面図を与える）に示すように、第２及び第３の平面状の片４２１及び４３１を同様に与えることができる。平面状の片４１１は、第２及び第３の平面状の片４２１及び４３１と一緒に、平面状の片が、平面状の片が交わる交差線によって画定される中心軸ＣＡから外側に放射状に突き出ている交差配列を形成することができる。所望の場合には、好ましくはこれらも中心軸から放射状に伸長しているより多くの平面状の片を与えることができる。
【００３８】
図６は、取水上昇管アセンブリ１０５の遠位部の斜視図を図示し、互い違いに配列されている遠位部１０９を示す。この例は、第１の管状導管１０６Ａ及び第２の管状導管１０６Ｂを含む８つの管状導管の束１０６を示す。８つの管状部材全部の示されている部分は、それぞれ同じ部品による同じデザインのものである。スペーサー１１０が中心の支持ロッド６０６に固定して接続されている。中心の支持ロッド６０６は、長さ方向に沿って下向きに突き出ており、補助スペーサー６１０の補助接続部を固定して支持する。スペーサー１１０は８つのガイドスリーブ６０３を含んでいるが、他の態様においてはより少ないものを設置することができる。補助スペーサーは、アーム６０７によって相互接続されている、８つのガイドスリーブ６０３と同じデザインの４つの補助ガイドスリーブ６１３を含む。
【００３９】
この特定の例においては、それぞれのガイドスリーブ６０３は、第１及び第２の管状導管１０６Ａ及び１０６Ｂの近位部に面している上部部分６０４、及び第１の管状導管１０６Ａの遠位部１０９に面している下部部分６０５を含む。下部部分６０５は円筒形の形状であり、第１の管状部材１０６Ａを取り囲んでいる。管状部材１０６Ａは、場合によっては上記で説明したガイドシリンダー４０８を備える。上部部分６０４は、円筒形の下部部分６０５よりも広い開口を有する漏斗形状である。補助ガイドスリーブ６１３は、同じような上部部分６１４及び下部部分６１５を有する。このデザインは、好ましくは丸い先端を与える遠位端における先端片と組み合わさって、収納した後の管状導管の再挿入を容易にする。
【００４０】
図６の例においては、第１の管状導管１０６Ａを含む８つの管状導管の４つの遠位部１０９は、第２の管状導管１０６Ｂを含む残りの４つの管状導管よりも長さ方向Ｌにおいて更に伸長している。而して、第１の管状導管における遠位部１０９が第１の管状導管の第１の遠位端４０１と接続部の間で長さＬ１にわたって伸長しており、第２の管状導管における遠位部が第２の管状導管の第２の遠位端６０１と接続部の間で長さＬ２にわたって伸長している場合には、第１の遠位端４０１は第２の遠位端６０１よりも長さ方向において更に少なくともＬ１の量だけ伸長している。したがって、第１の管状導管１０６Ａの遠位部１０９は、少なくとも、横方向（長さ方向に対して垂直の面内）において、第２の管状導管１０６Ｂのいずれの部分とも重なっていない部分を有する。
【００４１】
遠位端４０１から最も下側のストリングコネクター４０９までの全長は、５〜２０ｍの範囲であってよい。一例においては、この長さは約１４ｍであった。一例における取水部分４０３の長さは８．５ｍであり、随意的なガイドシリンダー４０８の長さは約３．４ｍであった。
【００４２】
本例における全ての管状導管は、検査、交換、又は修理のためにガイドスリーブから収納するのとは対照的に、取水運転のために完全に懸垂させている。
一態様においては、海洋構造物１０２に十分な冷却水を供給するために、束中の管状導管のそれぞれを常に運転状態にする必要はない。而して、１以上の管状導管を余剰の取水上昇管として働かせることができる。
【００４３】
所望の場合には、場合によっては更なるフィルターを遠位部１０９のそれぞれに結合させることができる。
所望の場合には、１より多い記載されている取水上昇管アセンブリを単一の海洋構造物から懸垂させることができる。
【００４４】
任意の数又は全部の管状導管に、渦流誘発振動制止手段を装備することができる。例は例えばＷＯ２０１０／０８５３０２に記載されている。
上記に記載の取水上昇管アセンブリを用いて、海洋構造物上で行われる任意のプロセスに処理水を供給することができる。
【００４５】
１つの具体例においては、これは、
・蒸気状炭化水素含有供給流を海洋構造物に供給し；
・少なくとも蒸気状炭化水素含有供給流の少なくとも一部から熱を引き抜くことを含む方法によって、蒸気状炭化水素含有供給流の少なくとも一部から液化炭化水素流を形成し；
・取水上昇管アセンブリを通して海洋構造物に水を供給し；
・炭化水素含有供給流の少なくとも一部から取り出された熱の少なくとも一部を、取水上昇管アセンブリを通して供給される水の少なくとも一部に加え；
・その後に水の少なくとも一部を廃棄する；
ことを含む液化炭化水素流の製造方法において用いることができる。
【００４６】
液化炭化水素流の周知の例は液化天然ガス流である。蒸気状炭化水素含有供給流、特に天然ガス流から熱を引き抜くための種々の好適な設備及び構成、並びに液化炭化水素流の製造に関連してしばしば行われる供給流からの不要な汚染物質及び成分の除去のような他の処理工程が当該技術において利用可能であり、本明細書において更に説明する必要はない。
【００４７】
他の具体例においては、
・海洋構造物上において液化炭化水素流を与え；
・液化炭化水素流の一部に熱を加えることを含む方法によって、液化炭化水素流の少なくとも一部から蒸気状炭化水素流を形成し；
・取水上昇管アセンブリを通して海洋構造物に水を供給し；
・取水上昇管アセンブリを通して供給される水の少なくとも一部から、液化炭化水素流の一部に加えるための熱の少なくとも一部を引き抜き；
・その後に水の少なくとも一部を廃棄する；
ことを含む蒸気状炭化水素流の製造方法において取水上昇管アセンブリを用いることができる。
【００４８】
予め液化した炭化水素流を再ガス化又は気化させるため、並びにかかる液化炭化水素流に熱を加えるための種々の好適な設備及び構成が当該技術において利用可能であり、本明細書において更に説明する必要はない。
【００４９】
当業者であれば、特許請求の範囲から逸脱することなく本発明を多くの種々の方法で実施することができることを理解するであろう。
【図１】
2014503402.tif 000003
【図２】
2014503402.tif 000004
【図３】
2014503402.tif 000005
【図３Ａ】
2014503402.tif 000006
【図４】
2014503402.tif 000007
【図５】
2014503402.tif 000008
【図６】
2014503402.tif 000009
【国際調査報告】
2014503402.tif 000010
2014503402.tif 000011
2014503402.tif 000012